(57)【要約】【課題】操作部をハウジングから容易に取り外すことが可能な押ボタンスイッチを提供すること。【解決手段】押ボタンスイッチが、箱状のハウジングと、ハウジングに接続された操作部と、ハウジングの内部に配置されている操作部の端部を係止してハウジングと操作部とを接続する一対の接続部材と、一対の接続部材の少なくとも一方を一対の接続部材が相互に接近する方向に付勢する付勢部と、接続位置から解除位置まで移動することで一対の接続部材によるハウジングと操作部との接続を解除可能な解除部材と、回転により解除部材を接続位置から解除位置に移動可能な解除操作部材とを備える。第２面には、治具を挿入可能な解除孔が設けられ、この解除孔は、解除操作部材の一部がハウジングの外部に露出するように配置されている。【選択図】図１１
2020095827.tif 000002
【特許請求の範囲】
【請求項１】
操作孔が設けられた第１面と、前記第１面に交差する第１方向に沿って前記第１面と並んで配置されている第２面とを有する箱状のハウジングと、
前記ハウジングの外部から前記操作孔を介して前記ハウジングの内部まで前記第１方向に沿って延びて前記ハウジングに接続されていると共に、前記第１方向に沿って移動可能な操作部と、
前記ハウジングの内部に設けられ、前記ハウジングの内部に配置されている前記操作部の前記第１方向の端部を前記第１方向に交差する第２方向から係止して、前記ハウジングと前記操作部とを接続する一対の接続部材と、
前記ハウジングの内部に設けられ、前記一対の接続部材の少なくとも一方を前記第２方向でかつ相互に接近する方向に付勢する付勢部と、
前記ハウジングの内部に設けられ、前記一対の接続部材の間の前記第１方向沿いの位置であって、前記一対の接続部材により前記ハウジングと前記操作部とを接続可能な接続位置と、前記接続位置よりも前記第１面の近くに配置され前記一対の接続部材による前記ハウジングと前記操作部との接続を解除可能な解除位置との間を移動可能に配置されていると共に、前記接続位置から前記解除位置まで移動することで、前記付勢部の付勢力に抗して前記一対の接続部材を前記第２方向でかつ相互に離れる方向に移動させて、前記一対の接続部材による前記ハウジングと前記操作部との接続を解除可能な解除部材と、
前記ハウジングの内部で前記ハウジングに対して前記第１方向まわりに回転可能に支持されて、回転により前記解除部材を前記接続位置から前記解除位置に移動可能に構成されている解除操作部材と
を備え、
前記第２面には、治具を挿入可能な解除孔が設けられ、
前記解除孔は、前記解除操作部材の一部が前記ハウジングの外部に露出して回転操作可能に配置されている、押ボタンスイッチ。
【請求項２】
前記ハウジングが、
第１凹部と、前記第１凹部に対して前記第１方向まわりに間隔を空けて配置されていると共に前記第１方向において前記第１凹部よりも前記第１面の近くに配置されている第２凹部とを有し、
前記解除操作部材が、
前記第１方向まわりの周方向に突出して前記第１凹部および前記第２凹部に収容可能な突出部を有し、前記第１方向まわりに前記第１凹部と前記第２凹部との間を回転可能に前記ハウジングに支持されており、
前記突出部が前記第１凹部に収容されているときは、前記解除部材が前記接続位置で保持され、前記突出部が前記第２凹部に収容されているときは、前記解除部材が前記解除位置で保持される、請求項１の押ボタンスイッチ。
【請求項３】
前記ハウジングが、
前記第１面および前記第２面に交差しかつ表示孔が設けられた表示面を有し、
前記一対の接続部材の少なくとも一方が、
前記解除部材が前記接続位置から前記解除位置に移動したときに、前記表示孔から前記ハウジングの外部に露出して、前記一対の接続部材による前記ハウジングと前記操作部との接続が解除されたことを表示する表示部を有している、請求項１または２の押ボタンスイッチ。
【請求項４】
前記操作部が、
前記ハウジングの内部に配置された係止受部を有し、
前記一対の接続部材の各々が、
前記第２方向でかつ相互に接近する方向に延びると共に、前記係止受部を介して前記操作部を前記ハウジングに対して前記第１方向に係止可能な係止突出部をそれぞれ有し、
前記係止突出部が、
前記第１面に対向しかつ前記第２方向沿いを前記操作部に接近するに従って前記第１方向において前記第１面から離れるように傾斜する傾斜面を有する、請求項１から３のいずれか１つの押ボタンスイッチ。
【請求項５】
前記ハウジングが、前記操作孔まわりに前記第１方向に沿って設けられて前記操作部を前記第１方向に案内する案内壁部を有している、請求項１から４のいずれか１つの押ボタンスイッチ。
【請求項６】
前記付勢部が、前記一対の接続部材の各々を前記第２方向でかつ前記一対の接続部材が相互に接近する方向にそれぞれ付勢する一対の付勢部材で構成され、
前記一対の付勢部材が、前記第２方向において、前記一対の接続部材を挟むように配置されている、請求項１から５のいずれか１つの押ボタンスイッチ。
【請求項７】
前記解除孔が、前記第２面の中央部近傍に配置されている、請求項１から６のいずれか１つの押ボタンスイッチ。
【発明の詳細な説明】
【技術分野】
【０００１】
本開示は、押ボタンスイッチに関する。
【背景技術】
【０００２】
特許文献１には、上面が開放された絶縁材よりなる箱状のボックスと、ボックスの上面開放部に配置されて上下動可能にボックスに保持されたボタンとを備える押ボタンスイッチが開示されている。前記押ボタンスイッチでは、ボタンが、ボックスの内部に位置する端部に相互に反対方向に突出する一対の係止片を有し、ボックスが、その側壁に設けられ一対の係止片を係止可能な窓を有している。
【先行技術文献】
【特許文献】
【０００３】
【特許文献１】特開２００４−２４７１８８号公報
【発明の概要】
【発明が解決しようとする課題】
【０００４】
前記押ボタンスイッチでは、ボタンの一対の係止片をボックスの窓に係止することによりボタンを抜け止めしているため、ボックスに保持された状態のボタンをボックスから容易に取り外すことができない場合がある。
【０００５】
本開示は、操作部をハウジングから容易に取り外すことが可能な押ボタンスイッチを提供することを課題とする。
【課題を解決するための手段】
【０００６】
本開示の一例の押ボタンスイッチは、
操作孔が設けられた第１面と、前記第１面に交差する第１方向に沿って前記第１面と並んで配置されている第２面とを有する箱状のハウジングと、
前記ハウジングの外部から前記操作孔を介して前記ハウジングの内部まで前記第１方向に沿って延びて前記ハウジングに接続されていると共に、前記第１方向に沿って移動可能な操作部と、
前記ハウジングの内部に設けられ、前記ハウジングの内部に配置されている前記操作部の前記第１方向の端部を前記第１方向に交差する第２方向から係止して、前記ハウジングと前記操作部とを接続する一対の接続部材と、
前記ハウジングの内部に設けられ、前記一対の接続部材の少なくとも一方を前記第２方向でかつ相互に接近する方向に付勢する付勢部と、
前記ハウジングの内部に設けられ、前記一対の接続部材の間の前記第１方向沿いの位置であって、前記一対の接続部材により前記ハウジングと前記操作部とを接続可能な接続位置と、前記接続位置よりも前記第１面の近くに配置され前記一対の接続部材による前記ハウジングと前記操作部との接続を解除可能な解除位置との間を移動可能に配置されていると共に、前記接続位置から前記解除位置まで移動することで、前記付勢部の付勢力に抗して前記一対の接続部材を前記第２方向でかつ相互に離れる方向に移動させて、前記一対の接続部材による前記ハウジングと前記操作部との接続を解除可能な解除部材と、
前記ハウジングの内部で前記ハウジングに対して前記第１方向まわりに回転可能に支持されて、回転により前記解除部材を前記接続位置から前記解除位置に移動可能に構成されている解除操作部材と
を備え、
前記第２面には、治具を挿入可能な解除孔が設けられ、
前記解除孔は、前記解除操作部材の一部が前記ハウジングの外部に露出して回転操作可能に配置されている。
【発明の効果】
【０００７】
前期押ボタンスイッチによれば、ハウジングの内部に配置されている操作部の第１方向の端部を第２方向から係止して、ハウジングと操作部とを接続する一対の接続部材と、一対の接続部材の少なくとも一方を第２方向でかつ相互に接近する方向に付勢する付勢部と、一対の接続部材の間の第１方向沿いの位置であって、一対の接続部材によりハウジングと操作部とを接続可能な接続位置と、この接続位置よりも第１面の近くに配置され一対の接続部材によるハウジングと操作部との接続を解除可能な解除位置との間を移動可能に配置されていると共に、接続位置から解除位置まで移動することで、一対の接続部材を第２方向でかつ相互に離れる方向に移動させて、一対の接続部材によるハウジングと操作部との接続を解除可能な解除部材と、ハウジングの内部でハウジングに対して第１方向まわりに回転可能に支持されて、回転により解除部材を接続位置から解除位置に移動可能に構成されている解除操作部材とを備えている。このような構成により、マイナスドライバなどの治具を用いて解除操作部材を回転させるだけで、解除部材が接続位置から解除位置に移動して、ハウジングと操作部との間の接続を解除することができるので、操作部をハウジングから容易に取り外すことが可能な押ボタンスイッチを実現できる。
【図面の簡単な説明】
【０００８】
【図１】本開示の一実施形態の押ボタンスイッチを示す斜視図。
【図２】図１のII-II線に沿った断面図。
【図３】図１の押ボタンスイッチの第２面を示す平面図。
【図４】図３のIV-IV線に沿った断面図。
【図５】図１の押ボタンスイッチの一対の接続部材、解除部材および解除操作部材を示す斜視図。
【図６】図１の押ボタンスイッチの一対の接続部材の一方の接続部材を示す斜視図。
【図７】図１の押ボタンスイッチの一対の接続部材、解除部材および解除操作部材を示す正面図。
【図８】図１の押ボタンスイッチの一対の接続部材、解除部材および解除操作部材を示す背面図。
【図９】図１の押ボタンスイッチの第１凹部および第２凹部を示す拡大斜視図。
【図１０】図３のX-X線に沿った断面図。
【図１１】図１の押ボタンスイッチの操作部をハウジングから取り外す動作を説明するための第１の図。
【図１２】図１の押ボタンスイッチの操作部をハウジングから取り外す動作を説明するための第２の図。
【図１３】図１の押ボタンスイッチの変形例を説明するための正面図。
【図１４】図１の押ボタンスイッチの変形例を説明するための斜視図。
【図１５】図１の押ボタンスイッチの変形例を説明するための第１凹部および第２凹部を示す拡大斜視図。
【発明を実施するための形態】
【０００９】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１０】
本開示の一実施形態の押ボタンスイッチ１は、図１に示すように、箱状のハウジング１０と、このハウジング１０に接続された操作部２０とを備えている。
【００１１】
図２に示すように、ハウジング１０は、操作孔１１が設けられた第１面１０１と、第１面１０１に交差（例えば、直交）する第１方向Ｚに沿って第１面１０１と並んで配置されている第２面１０２とを有している。また、操作部２０は、ハウジング１０の外部から操作孔１１を介してハウジング１０の内部まで第１方向Ｚに沿って延びてハウジング１０に接続されている。
【００１２】
なお、以下の記載において、第１方向Ｚに直交する方向でかつ第１面１０１の長手方向に平行な方向を第２方向Ｙとし、第１方向Ｚに直交する方向でかつ第１面１０１の短手方向に平行な方向を第３方向Ｘとする。
【００１３】
また、図２に示すように、ハウジング１０の内部には、ハウジング１０と操作部２０とを接続するための一対の接続部材３１、３２と、一対の接続部材３１、３２を付勢する付勢部４０と、ハウジング１０と操作部２０との接続を解除するための一対の解除部材５１、５２と、図示しない接点機構部とが設けられている。なお、接点機構部は、後述する操作部２０の可動部２２の第１方向Ｚ沿いの移動により、オンオフするように構成されている。
【００１４】
ハウジング１０は、図１に示すように、一例として、略直方体を有している。すなわち、第１面１０１および第２面１０２は、略矩形状を有している。操作孔１１は、第１面１０１の略中央部に設けられている。
【００１５】
また、図３に示すように、第２面１０２には、ハウジング１０の内部にそれぞれ接続された複数対の第１貫通孔１２および第２貫通孔１３と、第２面１０２の中央部近傍に配置された解除孔１４とが設けられている。各第１貫通孔１２は、図示しない電線の導体部が挿抜可能に構成され、各第２貫通孔１３は、第１貫通孔１２に隣接しかつ一例としてマイナスドライバなどの長尺の治具１００（図１１および図１２参照）が挿抜可能に構成されている。各第１貫通孔１２から電線の導体部を挿入することで、ハウジング１０の内部に設けられた複数の端子電極部７１（図４に示す）の各々に電線の導体部を接続することができる。また、第２貫通孔１３から治具１００をハウジング１０の内部に挿入することで、各端子電極部７１と電線の導体部との接続を解除することができる。
【００１６】
また、解除孔１４は、第２貫通孔１３と同様に一例としてマイナスドライバなどの長尺の治具を挿入可能に構成されている。図４に示すように、この解除孔１４を介して一対の解除操作部材６０がハウジング１０の外部に露出するように構成されている。なお、解除操作部材６０の解除孔１４から露出している部分には、マイナスドライバなどの長尺の治具１００の先端部を係止可能な係止溝６１と、Ｙ方向に一直線に並ぶことで解除部材５０が接続位置Ｐ１（図１１参照）に位置していることを表す一対の環状溝６２とが設けられている。なお、係止溝６１および環状溝６２は、省略してもかまわない。
【００１７】
ハウジング１０の第１面１０１の操作孔１１まわりには、第１方向Ｚに沿って設けられて操作部２０を第１方向Ｚに案内する案内壁部１５が設けられている。この実施形態では、案内壁部１５は、一例として、操作孔１１まわりの全周に亘って設けられている。
【００１８】
図２に示すように、ハウジング１０は、第１面１０１および第２面１０２に交差（例えば、直交）しかつ表示孔１０６が設けられた表示面１０５を有している。この実施形態では、ハウジング１０の第２方向Ｙに直交する一対の側面がそれぞれ表示面１０５を構成している。各表示面１０５の表示孔１０６は、後述する各接続部材３１、３２の表示部３１８、３２８を挿入可能に構成されている。
【００１９】
操作部２０は、図１に示すように、略Ｔ字状の軸部２１と、軸部２１の内部に第１方向Ｚに移動可能に配置された可動部２２とで構成されている。軸部２１のその延在方向（すなわち、第１方向Ｚ）の一端部は略直方体状で、ハウジング１０の外部に位置している。また、可動部２２は、その一部が軸部の延在方向の一端部からハウジング１０の外部に露出している。一例として、操作部２０の内部には、接点機構部のオンオフに連動して点灯／消灯する図示しないＬＥＤが配置され、このＬＥＤにより、可動部２２の軸部２１から露出している部分が照光する。
【００２０】
図２に示すように、軸部２１のその延在方向の他端部には、ハウジング１０の内部に配置された一対の湾曲板状の脚部２１１、２１２が設けられている。各脚部２１１、２１２は、軸部２１のその延在方向の他端部から第１方向Ｚに延びて、第２方向Ｙに対向している。また、各脚部２１１、２１２の先端部（すなわち、第１方向Ｚでかつ軸部２１から遠い方の端部）には、係止受部の一例としての貫通孔２３が設けられている。この貫通孔２３は、各脚部２１１、２１２を第２方向Ｙに貫通している。
【００２１】
なお、操作部２０は、ハウジング１０の内部に配置された付勢部材２０１（例えば、コイルばね）によって、第１方向Ｚでかつ可動部２２が第１面１０１から離れる方向（すなわち、図２の上向き）に付勢されている。
【００２２】
また、一対の脚部２１１、２１２の一方の脚部２１１には、この脚部２１１の外面から第２方向Ｙに突出する突起部２１３が設けられている。この突起部２１３は、後述する一対の接続部材３１、３２の一方の接続部材３１に設けられた溝部３１６に収容可能に構成されている。
【００２３】
一対の接続部材３１、３２は、図２に示すように、ハウジング１０の内部に配置されている操作部２０の第１方向Ｚの端部を第２方向Ｙから係止して、ハウジング１０と操作部２０とを接続可能に構成されている。
【００２４】
詳しくは、図５に示すように、各接続部材３１、３２は、第２方向Ｙに延びる板状の第１部材３１１、３２１と、第１部材３１１、３２１のその延在方向の一端に設けられた略直方体状の第２部材３１２、３２２とを有し、ハウジング１０の内部に第１方向Ｚに交差する第２方向Ｙに移動可能に配置されている。各第１部材３１１、３２１は、第２方向Ｙに沿って直列的に配置され、その延在方向の他端の先端同士が対向してその間に隙間３３を形成するように配置されている。また、図６および図７に示すように、各第１部材３１１、３２１の先端部には、後述する解除部材５０の接触面５１１、５１２に接触する湾曲面３１７、３２７が設けられている。
【００２５】
図５および図６に示すように、各接続部材３１、３２の第２部材３１２、３２２には、収容凹部３１３（図５では、一方のみ示す）と、係止突出部３１４、３２４と、表示部３１８、３２８とがそれぞれ設けられている。各収容凹部３１３は、第２方向Ｙにおいて相互に反対方向に開口して後述する付勢部４０の一対の付勢部材４１、４２をそれぞれ収容する。各係止突出部３１４、３２４は、第２方向Ｙでかつ相互に接近する方向に延びると共に、操作部２０の貫通孔２３を介して操作部２０をハウジング１０に対して第１方向Ｚに係止する。また、各表示部３１８、３２８は、第２方向Ｙでかつ相互に離れる方向に延びて、解除部材５０が後述する接続位置Ｐ１から解除位置Ｐ２に移動したときに、表示孔１０６を介してハウジング１０の内部からハウジング１０の外部に露出して、一対の接続部材３１、３２によるハウジング１０と操作部２０との接続が解除されたことを表示する。
【００２６】
各係止突出部３１４、３２４は、第１面１０１に対向しかつ第２方向Ｙ沿いを操作部２０に接近するに従って第１方向Ｚにおいて第１面１０１から離れるように傾斜する傾斜面３１５、３２５を有している。
【００２７】
また、図６に示すように、一対の接続部材３１、３２の一方の接続部材３１には、係止突出部３１４から第１面１０１に向かって（すなわち、図６の上向きに）第１方向Ｚに沿って延びる溝部３１６が設けられている。この溝部３１６は、操作部２０の突起部２１３が収容可能に構成され、例えば、操作部２０をハウジング１０に接続するときの位置および第１方向Ｚまわりの向きを決めることができる。
【００２８】
なお、各接続部材３１、３２は、溝部３１６の有無を除いて、同一の形状および大きさを有している。
【００２９】
付勢部４０は、図２に示すように、一対の付勢部材４１、４２で構成されている。この実施形態では、一例として、各付勢部材４１、４２をコイルばねで構成している。各付勢部材４１、４２は、第２方向Ｙにおいて各接続部材３１、３２とハウジング１０の壁部１０３、１０４との間に一対の接続部材３１、３２を挟むように配置されて、一対の接続部材３１、３２の各々を第２方向Ｙでかつ一対の接続部材３１、３２が相互に接近する方向にそれぞれ付勢している。
【００３０】
解除部材５０は、一対の接続部材３１、３２の間の第１方向Ｚ沿いの位置であって、一対の接続部材３１、３２によりハウジング１０と操作部２０とを接続可能な接続位置Ｐ１（図９参照）と、接続位置Ｐ１よりも第１面１０１の近くに配置され一対の接続部材３１，３２によるハウジング１０と操作部２０との接続を解除可能な解除位置Ｐ２（図１０参照）との間を移動可能に配置されている。
【００３１】
詳しくは、解除部材５０は、図７に示すように、各接続部材３１、３２の第１部材３１１、３２１の先端に接触可能な接触部材５１と、この接触部材５１から第１方向Ｚでかつ第２面１０２に向かって延びる伝達部材５２とを有している。伝達部材５２は、その延在方向の一端部に解除操作部材６０が接続されており、解除操作部材６０からの外力を接触部材５１に伝達する。
【００３２】
接触部材５１は、第２方向Ｙに沿って延びる略直方体状で、第１方向Ｚの一方の面に各接続部材３１、３２の第１部材３１１、３２１の湾曲面３１７、３２７に接触する接触面５１１、５１２を有している。各接触面５１１、５１２は、第２方向Ｙに相互に間隔を空けて配置されており、相互に接近するにつれて第１方向Ｚでかつ第１面１０１に向かって（すなわち、図７の上向きに）接近する傾斜面で構成されている。
【００３３】
図８に示すように、接触部材５１は、ハウジング１０に支持固定された付勢支持部材１６に設けられた付勢部材１６１によって第１方向Ｚでかつ第２面１０２に向かって（すなわち、図８の下向きに）付勢されている。また、接触部材５１の接触面５１１、５１２の間には、第１方向Ｚでかつ第１面１０１に向かって延びる案内部材５１３が設けられている。この案内部材５１３は、付勢支持部材１６に設けられた一対の案内壁部１６２、１６３の間に配置されて、解除部材５０の第１方向Ｚ沿いの移動を円滑にしている。
【００３４】
なお、一対の案内壁部１６２、１６３は、各接続部材３１、３２の第１部材３１１、３２１の先端の間に形成された隙間３３に設けられ、第２方向Ｙに間隔を空けて配置されている。
【００３５】
伝達部材５２は、略円筒状を有し、接触部材５１の第２方向Ｙの一端に設けられている。伝達部材５２の第１方向Ｚの第２面１０２側の端部には、図４に示すように、解除操作部材６０が接続される略円柱状の突起部５２１が設けられている。また、図８に示すように、伝達部材５２の第１方向Ｚの第１面１０１側の端部には、付勢支持部材１６に設けられている付勢部材１６１（例えば、コイルばね）を収容して支持する収容支持部５２２が設けられている。
【００３６】
解除操作部材６０は、ハウジング１０の内部でハウジング１０に対して第１方向Ｚまわりに回転可能に支持されて、回転により解除部材５０を接続位置Ｐ１から解除位置Ｐ２に移動可能に構成されている。
【００３７】
詳しくは、解除操作部材６０は、図５に示すように、略円筒状で、その外周面に径方向外側に突出して第１方向Ｚに延びる突出部６３を有している。この突出部６３は、ハウジング１０の第１凹部１７および第２凹部１８に収容可能に構成されている。
【００３８】
ハウジング１０の第１凹部１７および第２凹部１８は、図９に示すように、ハウジング１０の内部の第１方向Ｚにおける第２面１０２の反対側の面に設けられ、解除孔１４の周囲に間隔を空けて（この実施形態では、約９０度の間隔を空けて）、同一方向に開口する（すなわち、第１方向Ｚでかつ第１面１０１に向かって開口する）ように配置されている。また、図１０に示すように、第１方向Ｚにおける第１面１０１から第１凹部１７の底面までの直線距離Ｌ１が、第２凹部１８の底面までの直線距離Ｌ２よりも小さくなるように構成されている。すなわち、第２凹部１８は、第１方向Ｚにおいて第１凹部１７よりも第１面１０１の近くに配置されている。
【００３９】
解除操作部材６０の突出部６３が第１凹部１７に収容されているときは、図１１に示すように、解除部材５０は、第１方向Ｚにおいて第１面１０１から離れて配置されている。すなわち、各接続部材３１、３２の第１部材３１１、３２１の先端が、第１方向Ｚにおいて解除部材５０の一対の接触面５１１、５１２の第１面１０１に近い方の端部にそれぞれ位置している。第２方向Ｙにおける各接触面５１１、５１２間の距離は、第１方向Ｚにおいて第１面１０１から離れるに従って大きくなっており、図１１に示す状態では、各接続部材３１、３２は、付勢部４０の付勢力により第２方向Ｙでかつ相互に接近する方向に移動して、各係止突出部３１４、３２４が各係止受部２３に配置されて操作部２０がハウジング１０に対して第１方向Ｚに係止される。すなわち、解除操作部材６０の突出部６３が第１凹部１７に収容されているときは、解除部材５０は、一対の接続部材３１、３２によりハウジング１０と操作部２０とを接続可能な接続位置Ｐ１に位置する。
【００４０】
例えば、図１１および図１２に示すように、解除操作部材６０の係止溝６１にマイナスドライバなどの長尺の治具１００の先端を係止した状態で、解除操作部材６０を第１方向Ｚでかつ第２面１０２から第１面１０１に向かって外力を加えて、付勢支持部材１６の付勢部材１６１の付勢力に抗して押し込みつつ、第１方向Ｚまわりに回転させて、解除操作部材６０の突出部６３を第１凹部１７から第２凹部１８に移動させる。このとき、解除操作部材６０が、第１方向Ｚにおいて第１面１０１から第２面１０２に向かって移動し、解除部材５０を第１方向Ｚにおいて第１面１０１から第２面１０２に向かって移動させる。これにより、各接続部材３１、３２が、解除操作部材６０の接触部材５１の接触面５１１、５１２に沿って、第２方向Ｙでかつ相互に離れる方向に移動する。
【００４１】
解除操作部材６０の突出部６３を第２凹部１８まで移動させて収容すると、図１２に示すように、解除部材５０は、突出部６３が第１凹部１７に収容されているときよりも第１方向Ｚにおいて第１面１０１の近くに配置される。すなわち、第１部材３１１、３２１の先端が、第１方向Ｚにおいて一対の接触面５１１、５１２の第１面１０１から遠い方の端部にそれぞれ位置する。図１２に示す状態では、各接続部材３１、３２は、解除部材５０により、付勢部４０の付勢力に抗して第２方向Ｙでかつ相互に離れる方向に移動して、各係止突出部３１４、３２４が各係止受部２３に配置されることによる操作部２０のハウジング１０に対する第１方向Ｚの係止が解除される。すなわち、解除操作部材６０の突出部６３が第２凹部１８に収容されているときは、解除部材５０は、一対の接続部材３１、３２によるハウジング１０と操作部２０との接続を解除可能な解除位置Ｐ２に位置する。
【００４２】
前期押ボタンスイッチ１では、ハウジング１０の内部に配置されている操作部２０の第１方向の端部を第２方向Ｙから係止して、ハウジング１０と操作部２０とを接続する一対の接続部材３１、３２と、一対の接続部材３１、３２の少なくとも一方を第２方向Ｙでかつ相互に接近する方向に付勢する付勢部４０と、一対の接続部材３１、３２の間の第１方向Ｚ沿いの位置であって、一対の接続部材３１、３２によりハウジング１０と操作部２０とを接続可能な接続位置Ｐ１と、この接続位置Ｐ１よりも第１面１０１の近くに配置され一対の接続部材３１、３２によるハウジング１０と操作部２０との接続を解除可能な解除位置Ｐ２との間を移動可能に配置されていると共に、接続位置Ｐ１から解除位置Ｐ２まで移動することで、一対の接続部材３１、３２を第２方向Ｙでかつ相互に離れる方向に移動させて、一対の接続部材３１、３２によるハウジング１０と操作部２０との接続を解除可能な解除部材５０と、ハウジング１０の内部でハウジング１０および解除部材５０に第１方向Ｚまわりに回転可能に支持されて、回転により解除部材５０を接続位置Ｐ１から解除位置Ｐ２に移動可能に構成されている解除操作部材６０とを備えている。このような構成により、マイナスドライバなどの治具１００を用いて解除操作部材６０を第１方向Ｚに沿って第２面１０２から第１面１０１に向かって押圧しつつ回転させるだけで、解除部材５０が接続位置Ｐ１から解除位置Ｐ２に移動して、ハウジング１０と操作部２０との間の接続を解除することができるので、操作部２０をハウジング１０から容易に取り外すことが可能な押ボタンスイッチ１を実現できる。
【００４３】
また、ハウジング１０が、第１凹部１７と、第１凹部１７に対して第１方向Ｚまわりに間隔を空けて配置されていると共に第１方向Ｚにおいて第１凹部１７よりも第１面１０１の近くに配置されている第２凹部１８とを有し、解除操作部材６０が、第１方向Ｚまわりの周方向に突出して第１凹部１７および第２凹部１８に収容可能な突出部６３を有し、第１方向Ｚまわりに第１凹部１７と第２凹部１８との間を回転可能にハウジング１０に支持されており、突出部６３が第１凹部１７に収容されているときは、解除部材５０が接続位置Ｐ１で保持され、突出部６３が第２凹部１８に収容されているときは、解除部材５０が解除位置Ｐ２で保持される。このような構成により、解除部材５０を解除位置Ｐ２で保持できるので、操作部２０をハウジング１０から取り外す際に、治具１００などを用いて解除部材５０を解除位置Ｐ２に移動させたまま維持する必要がなく、操作部２０をハウジング１０からより容易に取り外すことができる。
【００４４】
また、ハウジング１０が、第１面１０１および第２面１０２に交差しかつ表示孔１０６が設けられた表示面１０５を有し、一対の接続部材３１、３２の各々が、解除部材５０が接続位置Ｐ１から解除位置Ｐ２に移動したときに、表示孔１０６からハウジング１０の外部に露出して、一対の接続部材３１、３２によるハウジング１０と操作部２０との接続が解除されたことを表示する表示部３１８、３２８を有している。この表示部３１８、３２８により、操作部２０のハウジング１０に対する接続状態を使用者に報知できる。
【００４５】
また、操作部２０が、ハウジング１０の内部に配置された貫通孔２３を有し、一対の接続部材３１、３２の各々が、第２方向Ｙでかつ相互に接近する方向に延びると共に、貫通孔２３を介して操作部２０をハウジング１０に対して第１方向Ｚに係止可能な係止突出部３１４、３２４をそれぞれ有し、各係止突出部３１４、３２４が、第１面１０１に対向しかつ第２方向Ｙ沿いを操作部２０に接近するに従って第１方向Ｚにおいて第１面１０１から離れるように傾斜する傾斜面３１５、３２５を有する。このような構成により、ハウジング１０と操作部２０とを接続するときに、各係止突出部３１４、３２４を対応する貫通孔２３に配置し易くなるので、操作部２０をハウジング１０に容易に取り付けることが可能な押ボタンスイッチ１を実現できる。
【００４６】
また、ハウジング１０が、操作孔１１まわりに第１方向Ｚに沿って設けられて操作部２０を第１方向Ｚに案内する案内壁部１５を有している。この案内壁部１５により、操作部２０を第１方向Ｚに容易に移動させることができる。
【００４７】
また、付勢部４０が、一対の接続部材３１、３２の各々を第２方向Ｙでかつ一対の接続部材３１、３２が相互に接近する方向にそれぞれ付勢する一対の付勢部材４１、４２で構成され、一対の付勢部材４１、４２が、第２方向Ｙにおいて、一対の接続部材３１、３２を挟むように配置されている。このような構成により、操作部２０をハウジング１０に対してより確実に接続することができる。
【００４８】
また、解除孔１４が、第２面１０２の中央部近傍に配置されている。このような構成により、各接続部材３１、３２によって、操作部２０を第２方向から略均等に係止することができるので、操作部２０をハウジング１０に対してより確実に接続することができる。
【００４９】
なお、本開示の押ボタンスイッチ１は、前記実施形態に限らず、解除操作部材６０を回転させることで、解除部材５０が一対の接続部材３１、３２によるハウジング１０と操作部２０との接続を解除可能な構成であれば、任意の構成を採用することができる。
【００５０】
例えば、図１３〜図１５に示すように、ハウジング１０、解除部材５０および解除操作部材６０の各々を構成することができる。図１３〜図１５の押ボタンスイッチ１では、解除操作部材６０は、第１方向Ｚまわりの径の大きさが異なる２つの部分（すなわち、大径部６０１および小径部６０２）で構成され、この２つの部分の境界部分に環状の段部６４を有している。また、小径部６０２の第１方向Ｚまわりには、コイルばね１６４が配置されている。このコイルばね１６４は、段部６４により支持されて、解除操作部材６０を第１方向Ｚでかつ第１面１０１に向かって（すなわち、図１３の上向き）付勢している。
【００５１】
また、図１３〜図１５の押ボタンスイッチ１では、付勢支持部材１６に代えて、ハウジング１０と共に解除操作部材６０の突出部６３の移動通路を画定する通路形成部１９が設けられている。この通路形成部１９には、第１凹部１７および第２凹部１８に対向する領域に切欠部１９１が設けられている。図１４に示すように、切欠部１９１の第１凹部１７に対応する第１領域１９２は、切欠部１９１の第２凹部１８に対応する第２領域１９３よりも、第１方向Ｚにおいて第２面１０２の近くに配置されている。また、切欠部１９１の第１領域１９２と第２領域１９３との間には、解除操作部材６０の外周沿いを第１領域１９２から第２領域１９３に向かって延びる傾斜面１９４が設けられている。
【００５２】
また、図１３〜図１５の押ボタンスイッチ１では、図１５に示すように、第２凹部１８の底面が、解除孔１４まわりを第１凹部１７から離れるに従って、第１方向Ｚでかつ第２面１０２に接近する方向に傾斜している。
【００５３】
第１凹部１７は、解除部材５０を接続位置Ｐ１で保持可能であれば、省略してもよい。また、第２凹部１８を省略して、解除部材５０を解除位置Ｐ２で保持できないようにしてもよい。
【００５４】
ハウジング１０の表示面１０５および各接続部材３１、３２の表示部３１８、３２８は、省略してもよい。
【００５５】
付勢部４０は、一対の付勢部材４１、４２で構成されている場合に限らず、各接続部材３１、３２の少なくとも一方を第２方向Ｙでかつ各接続部材３１、３２が相互に接近する方向に付勢する１つの付勢部材で構成してもよい。
【００５６】
係止受部は、貫通孔２３に限らず、例えば、突出部３１４、３２４を収容可能な凹部で構成してもよい。
【００５７】
各突出部３１４、３２４の傾斜面３１５、３２５は、いずれか一方のみ設けてもよいし、両方とも省略してもよい。
【００５８】
各表示部３１８、３２８は、一対の接続部材３１、３２のいずれか一方のみに設けてもよいし、両方に設けてもよい。
【００５９】
ハウジング１０の案内壁部１５は、操作孔１１まわり全周に亘って設けられている場合に限らず、例えば、操作孔１１まわりの一部に設けられていてもよいし、省略してもよい。
【００６０】
解除孔１４は、ハウジング１０の第２面１０２の中央部近傍に限らず、第２面１０２の任意の位置に配置することができる。
【００６１】
以上、図面を参照して本開示における種々の実施形態を詳細に説明したが、最後に、本開示の種々の態様について説明する。なお、以下の説明では、一例として、参照符号も添えて記載する。
【００６２】
本開示の第１態様の押ボタンスイッチ１は、
操作孔１１が設けられた第１面１０１と、前記第１面１０１に交差する第１方向Ｚに沿って前記第１面１０１と並んで配置されている第２面１０２とを有する箱状のハウジング１０と、
前記ハウジング１０の外部から前記操作孔１１を介して前記ハウジング１０の内部まで前記第１方向Ｚに沿って延びて前記ハウジング１０に接続されていると共に、前記第１方向Ｚに沿って移動可能な操作部２０と、
前記ハウジング１０の内部に設けられ、前記ハウジング１０の内部に配置されている前記操作部２０の前記第１方向Ｚの端部を前記第１方向Ｚに交差する第２方向Ｙから係止して、前記ハウジング１０と前記操作部２０とを接続する一対の接続部材３１、３２と、
前記ハウジング１０の内部に設けられ、前記一対の接続部材３１、３２の少なくとも一方を前記第２方向Ｙでかつ相互に接近する方向に付勢する付勢部４０と、
前記ハウジング１０の内部に設けられ、前記一対の接続部材３１、３２の間の前記第１方向Ｚ沿いの位置であって、前記一対の接続部材３１、３２により前記ハウジング１０と前記操作部２０とを接続可能な接続位置Ｐ１と、前記接続位置Ｐ１よりも前記第１面１０１の近くに配置され前記一対の接続部材３１、３２による前記ハウジング１０と前記操作部２０との接続を解除可能な解除位置Ｐ２との間を移動可能に配置されていると共に、前記接続位置Ｐ１から前記解除位置Ｐ２まで移動することで、前記付勢部４０の付勢力に抗して前記一対の接続部材３１、３２を前記第２方向Ｙでかつ相互に離れる方向に移動させて、前記一対の接続部材３１、３２による前記ハウジング１０と前記操作部２０との接続を解除可能な解除部材５０と、
前記ハウジング１０の内部で前記ハウジング１０に対して前記第１方向Ｚまわりに回転可能に支持されて、回転により前記解除部材５０を前記接続位置Ｐ１から前記解除位置Ｐ２に移動可能に構成されている解除操作部材６０と
を備え、
前記第２面１０２には、治具１００を挿入可能な解除孔１４が設けられ、
前記解除孔１４は、前記解除操作部材６０の一部が前記ハウジング１０の外部に露出して回転操作可能に配置されている。
【００６３】
第１態様の押ボタンスイッチ１によれば、マイナスドライバなどの治具１００を用いて解除操作部材６０を回転させるだけで、解除部材５０が接続位置Ｐ１から解除位置Ｐ２に移動して、ハウジング１０と操作部２０との間の接続を解除することができるので、操作部２０をハウジング１０から容易に取り外すことが可能な押ボタンスイッチ１を実現できる。
【００６４】
本開示の第２態様の押ボタンスイッチ１は、
前記ハウジング１０が、
第１凹部１７と、前記第１凹部１７に対して前記第１方向Ｚまわりに間隔を空けて配置されていると共に前記第１方向Ｚにおいて前記第１凹部１７よりも前記第１面１０１の近くに配置されている第２凹部１８とを有し、
前記解除操作部材６０が、
前記第１方向Ｚまわりの周方向に突出して前記第１凹部１７および前記第２凹部１８に収容可能な突出部６３を有し、前記第１方向Ｚまわりに前記第１凹部１７と前記第２凹部１８との間を回転可能に前記ハウジング１０に支持されており、
前記突出部６３が前記第１凹部１７に収容されているときは、前記解除部材５０が前記接続位置Ｐ１で保持され、前記突出部６３が前記第２凹部１８に収容されているときは、前記解除部材５０が前記解除位置Ｐ２で保持される。
【００６５】
第２態様の押ボタンスイッチ１によれば、解除部材５０を解除位置Ｐ２で保持できるので、操作部２０をハウジング１０から取り外す際に、治具１００などを用いて解除部材５０を解除位置Ｐ２に移動させたまま維持する必要がなく、操作部２０をハウジング１０からより容易に取り外すことができる。
【００６６】
本開示の第３態様の押ボタンスイッチ１は、
前記ハウジング１０が、
前記第１面１０１および前記第２面１０２に交差しかつ表示孔１０６が設けられた表示面１０５を有し、
前記一対の接続部材３１、３２の少なくとも一方が、
前記解除部材５０が前記接続位置Ｐ１から前記解除位置Ｐ２に移動したときに、前記表示孔１０６から前記ハウジング１０の外部に露出して、前記一対の接続部材３１、３２による前記ハウジング１０と前記操作部２０との接続が解除されたことを表示する表示部３１８、３２８を有している。
【００６７】
第３態様の押ボタンスイッチ１によれば、表示部３１８、３２８により、操作部２０のハウジング１０に対する接続状態を使用者に報知できる。
【００６８】
本開示の第４態様の押ボタンスイッチ１は、
前記操作部２０が、
前記ハウジング１０の内部に配置された係止受部２３を有し、
前記一対の接続部材３１、３２の各々が、
前記第２方向Ｙでかつ相互に接近する方向に延びると共に、前記係止受部２３を介して前記操作部２０を前記ハウジング１０に対して前記第１方向Ｚに係止可能な係止突出部３１４、３２４をそれぞれ有し、
前記係止突出部３１４、３２４が、
前記第１面１０１に対向しかつ前記第２方向Ｙ沿いを前記操作部２０に接近するに従って前記第１方向Ｚにおいて前記第１面１０１から離れるように傾斜する傾斜面３１５、３２５を有する。
【００６９】
第４態様の押ボタンスイッチ１によれば、ハウジング１０と操作部２０とを接続するときに、各係止突出部３１４、３２４を対応する係止受部２３に配置し易くなるので、操作部２０をハウジング１０に容易に取り付けることが可能な押ボタンスイッチ１を実現できる。
【００７０】
本開示の第５態様の押ボタンスイッチ１は、
前記ハウジング１０が、前記操作孔１１まわりに前記第１方向Ｚに沿って設けられて前記操作部２０を前記第１方向Ｚに案内する案内壁部１５を有している。
【００７１】
第５態様の押ボタンスイッチ１によれば、案内壁部１５により、操作部２０を第１方向Ｚに容易に移動させることができる。
【００７２】
本開示の第６態様の押ボタンスイッチ１は、
前記付勢部４０が、前記一対の接続部材３１、３２の各々を前記第２方向Ｙでかつ前記一対の接続部材３１、３２が相互に接近する方向にそれぞれ付勢する一対の付勢部材４１、４２で構成され、
前記一対の付勢部材４１、４２が、前記第２方向Ｙにおいて、前記一対の接続部材３１、３２を挟むように配置されている。
【００７３】
第６態様の押ボタンスイッチ１によれば、操作部２０をハウジング１０に対してより確実に接続することができる。
【００７４】
本開示の第７態様の押ボタンスイッチ１は、
前記解除孔１４が、前記第２面１０２の中央部近傍に配置されている。
【００７５】
第７態様の押ボタンスイッチ１によれば、各接続部材３１、３２によって、操作部２０を第２方向から略均等に係止することができるので、操作部２０をハウジング１０に対してより確実に接続することができる。
【００７６】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００７７】
本開示の押ボタンスイッチは、例えば、キーボード、あるいは、産業用操作パネルなどに組み込まれる照光式押ボタンスイッチに適用できる。
【符号の説明】
【００７８】
１  押ボタンスイッチ
１０  ハウジング
１０１  第１面
１０２  第２面
１０３、１０４  壁部
１０５  表示面
１０６  表示孔
１１  操作孔
１２  第１貫通孔
１３  第２貫通孔
１４  解除孔
１５  案内壁部
１６  付勢支持部材
１６１  付勢部材
１６２、１６３  案内壁部
１６４  コイルばね
１７  第１凹部
１８  第２凹部
１９  通路形成部
１９１  切欠部
２０  操作部
２０１  付勢部材
２１  軸部
２１１、２１２  脚部
２１３  突起部
２２  表示部
２３  貫通孔（係止受部の一例）
３１、３２  接続部材
３１１、３２１  第１部材
３１２、３２２  第２部材
３１３  収容凹部
３１４、３２４  係止突出部
３１５、３２５  傾斜面
３１６  溝部
３１７、３２７  湾曲面
３１８、３２８  表示部
３３  隙間
４０  付勢部
４１、４２  付勢部材
５０  解除部材
５１  接触部材
５１１、５１２  接触面
５１３  案内部材
５２  伝達部材
５２１  突起部
６０  解除操作部材
６０１  大径部
６０２  小径部
６１  係止溝
６２  環状溝
６３  突出部
６４  段部
７１  端子電極部
１００  治具
Ｘ  第３方向
Ｙ  第２方向
Ｚ  第１方向
Ｐ１  接続位置
Ｐ２  解除位置
Ｌ１、Ｌ２  直線距離
【図１】
2020095827.tif 000003
【図２】
2020095827.tif 000004
【図３】
2020095827.tif 000005
【図４】
2020095827.tif 000006
【図５】
2020095827.tif 000007
【図６】
2020095827.tif 000008
【図７】
2020095827.tif 000009
【図８】
2020095827.tif 000010
【図９】
2020095827.tif 000011
【図１０】
2020095827.tif 000012
【図１１】
2020095827.tif 000013
【図１２】
2020095827.tif 000014
【図１３】
2020095827.tif 000015
【図１４】
2020095827.tif 000016
【図１５】
2020095827.tif 000017